(57)【特許請求の範囲】
【請求項１】
輪転印刷機のためのインキつぼ（１）であって、相並んで配置されかつインキ出しローラ（２）に対し種々異なる間隔が調節可能である複数の円筒形の調量部材（４）を備え、該調量部材（４）が回転可能に支承されておりかつインキつぼ（１）に固定された弾力的なフォイル（１０）で被覆されており、各調量部材（４）に支持体（１５，１９）が配属されており、支持体（１５，１９）の各々がばね圧力下で、間接的にフォイル（１０）を介してインキ出しローラ（２）の外套面に当接している形式のものにおいて、各調量部材（４）が円筒形の調量領域（１１，２０）を有し、調量領域（１１，２０）が支持体（１５，１９）の間にある区域幅部分だけに互って延在しており、支持体（１５，１９）がインキ出しローラ（２）の円周方向で見て調量領域（１１，２０）に対して相対的なずれがないように配置されており、各支持体（１５，１９）が扁平部（１６）又は内側に向かって半径（ｒ）を形成する接触面を有して、この扁平部（１６）又は接触面でばね圧力下で、間接的にフォイル（１０）を介してインキ出しローラ（２）の外套面に接触していることを特徴とする、輪転印刷機のためのインキつぼ。
【請求項２】
調量部材（４）の回転中心点が偏心的にずらされている、請求項１記載のインキつぼ。
【請求項３】
支持体が支持リング（１５）として形式されていて、これらの支持リング（１５）が、両側で調量部材（４）における偏心的にずらされたジャーナル（１４）の上に配置されている、請求項１又は２記載のインキつぼ。
【請求項４】
支持体が偏心的にずらされたジャーナル（１８）を有しており、これらのジャーナル（１８）によって支持体が調量部材（４）における偏心的にずらされた孔（１７）内に回転可能に支承されている、請求項１又は２に記載のインキつぼ。
【請求項５】
支持体における扁平部（１６）がほぼインク出しローラ（２）の外套面の半径に相当する半径（ｒ）を内側へ有している、請求項１から４までのいずれか１項記載のインクつぼ。
【請求項６】
調量部材（４）を受容するためのガイド（５）がフォーク形状に形成されており、ガイド（５）の端部（２３）が支持体区分を形成する扁平部（１６）を有している、請求項１記載のインキつぼ。
【発明の詳細な説明】
【０００１】
【発明の属する技術分野】
本発明は、相並んで配置されている区域幅の調量部材を有する輪転印刷機のためのインキつぼであって、調量部材が案内装置に支承されていてインキ出しローラに対して種々異なる間隔で調節可能であり、各々の調量部材がインキ出しローラの軸方向に見て支持領域と調量領域とを有しており、支持領域が互いに独立にばね圧力下で直接または間接にインキ出しローラに当接しており、調量領域が楔形に延びており、さらに調量部材が旋回可能に支承されていてインキつぼに固定された弾力的なフォイルで被覆可能である形式のものに関する。
【０００２】
【従来の技術】
この種類の公知の構成（ドイツ特許第２６４８０９８号明細書）において、軸方向に見て相並んで支持領域と調量領域とを有している区域幅の調量部材が設けられている。インキ出しローラで調量部材をばね弾性的に支持し、ひいては案内することによって、インキ膜厚のすべての変化とばらつきが除去される。したがって、調量部材の支持領域と、インキ出しローラにおける調量部材の案内とは、調量領域を常に再生可能に調節し、ひいてはインキ出し隙間を区域毎に微細に規定するための基礎を提供する。これによりインキの種々異なる流体力学的な力、インキ出しローラおよびインキつぼのたわみ、インキ出しローラの外周の振れ、およびその他の瑕疵が、インキ膜厚の変化を引き起こすことはなくなる。
【０００３】
【発明が解決しようとする課題】
本発明の課題は、弾力的なフォイルで覆われた調量部材で、たとえばフォイルの摩耗を減らすことである。
【０００４】
【課題を解決するための手段】
上記の課題を解決するために本発明の構成では、調量部材が円筒形の調量領域を有しており、調量領域の両側で調量部材に支持体が配置されており、支持体がそれらの外周で扁平部もしくは接触面を有しており、これにより支持体が直接または間接にばね圧力下でインキ出しローラの外套面に当接しているようにした。この解決手段では、円筒形の調量領域がインキ膜厚を調節するために旋回されることができ、しかも調量領域に固定されている支持体が同様にこの旋回運動を行うことはない。支持体は、当該支持体に設けられている扁平部によってインキ出しローラの外套面に当接し、しかも支持体は調量部材の旋回運動に追従しない。この場合、扁平部は、支持体とインキ出しローラとの間に面接触が生じ、その結果として押圧力が減少し、フォイルの摩耗特性が著しく改善されるように形成されている。
【０００５】
本発明の有利な構成において、支持体の回転中心点が調量部材で偏心的にずらされている。こうすることによって、調量部材のわずかな製造コストで調量領域の楔形推移が達成されている。
【０００６】
本発明の有利な構成において、支持体が支持リングとして形成されていて、これらの支持リングが調量部材の両側で偏心的にずらされているジャーナル上に配置されている。択一的な構成において、支持体が偏心的にずらされたジャーナルを有しており、これらのジャーナルによって支持体が調量部材内の偏心的にずらされた孔に回転可能に支承されている。
【０００７】
両構成は、調量部材が独立に旋回し、支持体がインキ出しローラの外套面もしくは弾力的フォイルに面状に当接することを保証する。
【０００８】
本発明の別の有利な構成は、支持体における扁平部が内側に向かってインキ出しローラの外套面の半径にほぼ等しい半径ｒを有していることを特徴とする。これにより、当接面は最適に拡大されて、押圧力が減少して摩耗がさらに減ることが保証される。
【０００９】
別の有利な構成において、ガイドが支持体として、調量部材を受容するためにフォーク状に形成されており、しかもフォーク状端部が扁平部を有している。
【００１０】
【発明の実施の形態】
以下に、本発明の実施例を図面に基づいて詳細に説明する。
【００１１】
インキつぼ１が公知の形式でインキ出しローラ２に付属していて、インキ３を受容している。図１に示すように、区域幅の調量部材４は、圧縮ばね６を介して支持されているガイド５によって保持されているので、調量部材４はインキ出しローラ２の外套面に押し当てられる。調量部材４は駆動手段７、ねじスピンドル８および調節体９を介して旋回させられる。調量部材を保護するために、調量部材とガイド５は弾力的なフォイル１０で覆われていてよい。
【００１２】
図２に示されているように、調量部材４は円筒形の調量範囲１１を有しており、この調量領域１１には調量部材４を旋回させるためのアーム１２が設けられている。アーム１２は連結器１３を介して調節体９と結合している。図２〜図４に従う構成において、調量領域１１の両側で調量部材４にジャーナル１４が設けられていて、その上の支持リング１５が回動可能に載せられている。支持リング１５は扁平部１６を有していて、これらの扁平部１６によって支持リング１５はフォイル１０を介してインキ出しローラ２の外套面に当接している。図４に見られるように、ジャーナル１４は調量領域１１に対して偏心的にずらされていて、支持リングの孔も同様に偏心的にずらされているので、扁平部１６は調量領域１１の最大偏心性と一致する。図２にこの位置が示されており、調量領域はインキ出しローラ２の外套面に対して閉じられていて、インキ出し隙間を形成していない。図３では、調量部材４が旋回しているので、調量領域１１はインキ出しローラ２の外套面に対してインキ出し隙間に相応する間隔を形成している。したがって、支持リング１５の扁平部１６が張り出している。この場合、支持リング１５はガイド５と圧縮ばね６とを介してインキ出しローラ２の外套面に押し付けられる。
【００１３】
図５〜図７に、調量部材４が示されている。調量部材４の両側に孔１７が設けられていて、これらの孔に支持体１９のジャーナル１８が挿入されている。ここでも調量領域２０は円筒形に形成されているので、旋回時には楔形に延びている。この目的のために、孔１７とジャーナル１８は調量領域２０に対して偏心的にずらされているので、調量部材４の回動時にインキ出しローラ２の外套面に対する隙間が調節され得る。支持体１９も同様に、フォイル１０を介してインキ出しローラ２に当接している扁平部２１を有している。図５には、調量領域２０の閉じられた状態が示されており、図６には調量部材４の回動によって調量領域２０とインキ出しローラ２の外套面との間に生じた隙間が示されている。ジャーナル１４もしくはジャーナル１８を有する孔１７の偏心性２１は、調量領域１１、２０とインキ出しローラ２の外套面との間の所望された最大隙間厚２２に従って選択される。
【００１４】
本発明の有利な構成において、支持体１５、１９における扁平部１６、２１は内側に向かってインキ出しローラ２の外套面の半径にほぼ等しい半径ｒを有している。
【００１５】
図８は、ガイド５を示している。ガイド５は調量部材４の範囲でフォーク状に形成されていて、端部２３の間に偏心的に配置されたジャーナル１４を介してそれぞれ１つの調量部材４を受容している。端部２３における扁平部１６は、ばね圧力下で直接またはフォイル１０を介して間接にインキ出しローラ２の外套面に当接している。
【図面の簡単な説明】
【図１】  インキ出しローラを有するインキつぼの側面図である。
【図２】  支持リングを有する調量部材の縦断面図である。
【図３】  支持リングを有する調量部材の縦断面図である。
【図４】  支持リングの側面図である。
【図５】  支持体を有する調量部材の縦断面図である。
【図６】  支持体を有する調量部材の縦断面図である。
【図７】  支持体の側面図である。
【図８】  調量部材４の範囲に形成されたガイドを示した図である。
【符号の説明】
１  インキつぼ、  ２  インキ出しローラ、  ３  インキ、  ４  調量部材、  ５  ガイド、  ６  圧縮ばね、  ７  駆動手段、  ８  ねじスピンドル、  ９  調節体、  １０  フォイル、  １１  調量領域、  １２  アーム、  １３  連結器、  １４  ジャーナル、  １５  支持リング、  １６  扁平部、  １７  孔、  １８  ジャーナル、  １９  支持体、  ２０  調量領域、  ２１  偏心性、  ２２  隙間厚、  ２３  端部
【図１】
0004418544.tif 000002
【図２】
0004418544.tif 000003
【図３】
0004418544.tif 000004
【図４】
0004418544.tif 000005
【図５】
0004418544.tif 000006
【図６】
0004418544.tif 000007
【図７】
0004418544.tif 000008
【図８】
0004418544.tif 000009